(57)【要約】【課題】監視動作を始めた後に各センサ端末器から通報された非定常状態の通知の信頼性を高める監視システムを提供することを目的とする。【解決手段】定常状態または非定常状態を監視する複数のセンサ端末器１、２と、このセンサ端末器と通信可能な主装置３とを有し、センサ端末器１、２と主装置３には、それぞれ定常状態または非定常状態に関する情報と主装置３からの監視動作開始信号および監視動作終了信号とこの監視動作開始信号および監視動作終了信号に対する応答信号の送信または受信を行う情報通信手段７、８、２５、２６を有し、センサ端末器１、２は主装置３からの監視動作開始信号を受信するとセンサ回路５に通電し、センサ回路５に通電した後一定時間が経過するまでは非定常状態に関する情報の主装置３への送信を待機する。【選択図】図１
2005216052.tif 000002
【特許請求の範囲】
【請求項１】
定常状態または非定常状態を監視するひとつまたは複数のセンサ端末器と、このセンサ端末器と通信可能な主装置とを有し、前記センサ端末器と前記主装置には、それぞれ定常状態または非定常状態に関する情報と前記主装置からの監視動作開始信号および監視動作終了信号とこの監視動作開始信号および監視動作終了信号に対する応答信号の送信または受信を行う情報通信手段を有し、前記センサ端末器は、監視動作をしていないときはセンサ回路の電源が遮断されており、前記主装置からの監視動作開始信号を受信すると前記センサ回路に電源を通電し、センサ回路に電源を通電した後一定時間が経過するまでは非定常状態に関する情報の主装置への送信しない監視システム。
【請求項２】
定常状態または非定常状態を監視するひとつまたは複数のセンサ端末器と、このセンサ端末器と通信可能な主装置とを有し、前記センサ端末器と前記主装置には、それぞれ定常状態または非定常状態に関する情報と前記主装置からの監視動作開始信号および監視動作終了信号とこの監視動作開始信号および監視動作終了信号に対する応答信号の送信または受信を行う情報通信手段を有し、前記センサ端末器は、監視動作をしていないときはセンサ回路の電源が遮断されており、前記主装置からの監視動作開始信号を受信すると前記センサ回路に電源を通電し、センサ回路に電源を通電した後前記センサ回路が安定するまでは非定常状態に関する情報の主装置への送信しない監視システム。
【請求項３】
センサ端末器は、非定常状態に関する情報を主装置に送信できる状態になったことを主装置に送信する請求項１または２に記載の監視システム。
【請求項４】
センサ端末器は、センサ回路が一定時間以上安定しないときに前記センサ回路の異常を主装置に送信する請求項２に記載の監視システム。
【請求項５】
センサ回路に電源を通電した後に非定常状態に関する情報を主装置に送信可能な状態になると主装置またはセンサ端末器にて監視動作中であることを報知する請求項１〜４のいずれか１項に記載の監視システム。
【請求項６】
請求項１〜５のいずれか１項に記載の監視システムにおける機能の少なくとも一部をコンピュータで実現するプログラム。
【発明の詳細な説明】
【技術分野】
【０００１】
本発明は、防犯用の監視システムおよびそのプログラムに関するものである。
【背景技術】
【０００２】
従来この種の監視システムのセンサ端末器は、窓サッシやドア上部等に取り付けられ美観や施工性を良くするため、電源線の要らない電池駆動式のものである。センサ端末器は、常に稼働状態でありセンサ回路部が何かを検知すると無線電波で主装置に通知し、主装置は監視動作中ならば警報を発し電話で外部に通報するが、監視動作中でないときはセンサ端末器から無線電波で通知があっても主装置は何もしなかった（例えば、特許文献１参照）。
【０００３】
図２は、特許文献１に記載された従来の監視システムを示すものである。図２に示すように、各種非定常状態を検知するセンサ端末器３１からの信号で送信部３６が電波を送信し、受信部４２がその電波を受信し、受信部４２で復調された信号を解読して主装置４６は警報を発するものである。
【０００４】
この従来の構成では、各センサ端末器の中のセンサ回路は監視動作中でない場合でも常に稼働しており、電池の使用効率的には無駄の多いものであった。
【０００５】
一方、電池の使用効率をあげるための方式として、監視動作ではないときに各センサ端末器の中のセンサ回路への給電を停止し、監視動作をするときに各センサ端末器の中のセンサ回路へ給電する方式がある。この場合、各センサ端末器に主装置から監視動作中かそうでないかを伝えるために、主装置には無線電波の受信部以外に送信部を、各センサ端末器には送信部以外に受信部をそれぞれ設ける必要がある。
【０００６】
各センサ端末器は主装置から監視動作開始の指示が無線電波で来ない限り、センサ回路への給電を停止しており、主装置から監視動作開始の指示が来た時にセンサ回路への給電をはじめ、監視動作終了の指示がくると再びセンサ回路への給電を停止する。
【０００７】
このように監視動作ではないときにはセンサ回路への給電を停止し、監視動作をするときにセンサ回路への給電をするという方式が考えられる。
【特許文献１】実開昭５７−１２３５９４号公報
【発明の開示】
【発明が解決しようとする課題】
【０００８】
しかしながら、前記赤外線焦電素子を使った人体検知センサを用いたものでは、赤外線焦電素子の信号を増幅する増幅回路が給電停止状態から給電を開始されてもすぐには安定しない。このため、使用者が外出する際に監視動作開始を設定すると、主装置から監視動作開始を指示する電文を各センサ端末器が受け取り、各センサ端末器はセンサ回路に給電を開始するが、センサ回路はすぐには安定せず、監視システムはすぐに監視動作を始めることができないという課題がある。
【０００９】
本発明は、前記従来の課題を解決するもので、監視動作を始めた後に各センサ端末器から通報された非定常状態の通知の信頼性を高めた監視システムおよびそのプログラムを提供することを目的とする。
【課題を解決するための手段】
【００１０】
前記従来の課題を解決するため、本発明の監視システムおよびそのプログラムは、各センサ端末器のセンサ回路に電源を通電した後一定時間が経過するまで、あるいは、センサ回路が安定するまでは非定常状態に関する情報の主装置への送信をしないものである。
【００１１】
これにより、各センサ端末器はセンサ回路が安定してはじめて非定常状態の情報を主装置への送信することになり、監視動作を始めた後に各センサ端末器から通報された非定常状態の通知の信頼性を高めることができる。
【発明の効果】
【００１２】
本発明の監視システムおよびそのプログラムは、使用者が監視動作を開始した後の各センサ端末器からの通報の信頼性を高めることができる。
【発明を実施するための最良の形態】
【００１３】
第１の発明は、定常状態または非定常状態を監視するひとつまたは複数のセンサ端末器と、このセンサ端末器と通信可能な主装置とを有し、前記センサ端末器と前記主装置には、それぞれ定常状態または非定常状態に関する情報と前記主装置からの監視動作開始信号および監視動作終了信号とこの監視動作開始信号および監視動作終了信号に対する応答信号の送信または受信を行う情報通信手段を有し、前記センサ端末器は、監視動作をしていないときはセンサ回路の電源が遮断されており、前記主装置からの監視動作開始信号を受信すると前記センサ回路に電源を通電し、センサ回路に電源を通電した後一定時間が経過するまでは非定常状態に関する情報の主装置への送信をしない監視システムとすることにより、各センサ端末器はセンサ回路が安定した一定時間経過後にはじめて非定常状態の情報を主装置への送信することになり、監視動作を始めた後に各センサ端末器から通報された非定常状態の通知の信頼性を高めることができる。
【００１４】
第２の発明は、定常状態または非定常状態を監視するひとつまたは複数のセンサ端末器と、このセンサ端末器と通信可能な主装置とを有し、前記センサ端末器と前記主装置には、それぞれ定常状態または非定常状態に関する情報と前記主装置からの監視動作開始信号および監視動作終了信号とこの監視動作開始信号および監視動作終了信号に対する応答信号の送信または受信を行う情報通信手段を有し、前記センサ端末器は、監視動作をしていないときはセンサ回路の電源が遮断されており、前記主装置からの監視動作開始信号を受信すると前記センサ回路に電源を通電し、センサ回路に電源を通電した後前記センサ回路が安定するまでは非定常状態に関する情報の主装置への送信をしない監視システムとすることにより、各センサ端末器はセンサ回路が安定してはじめて非定常状態の情報を主装置への送信することになり、監視動作を始めた後に各センサ端末器から通報された非定常状態の通知の信頼性を高めることができる。
【００１５】
第３の発明は、特に、第１または第２の発明において、センサ端末器は、非定常状態に関する情報を主装置に送信できる状態になったことを主装置に送信することにより、各センサ端末器から通報される非定常状態の通知の判定にあたりより信頼性が向上する。
【００１６】
第４の発明は、特に、第２の発明において、センサ端末器は、センサ回路が一定時間以上安定しないときにセンサ回路の異常を主装置に送信することにより、使用者は監視システムの異常を迅速に知ることができる。
【００１７】
第５の発明は、特に、第１〜第４のいずれか１つの発明において、センサ回路に電源を通電した後に非定常状態に関する情報を主装置に送信可能な状態になると主装置またはセンサ端末器にて監視動作中であることを報知することにより、使用者に監視システムが正常に動作し始めたことを通知することができる。
【００１８】
第６の発明は、特に、第１〜第５のいずれか１つの発明において、監視システムにおける機能の少なくとも一部をコンピュータで実現するプログラムとすることにより、プログラムであるので、電気・情報機器、コンピュータ、サーバー等のハードリソースを協働させて監視システムの少なくとも一部を容易に実現することができる。また、記憶媒体に記憶したり通信回線を用いてプログラムを配信したりすることで、プログラムの配布やインストール作業が簡単にできる。
【００１９】
以下、本発明の実施形態について、図面を参照しながら説明する。なお、この実施の形態によって本発明が限定されるものではない。
【００２０】
（実施の形態１）
図１は、本発明の実施の形態１における監視システムを示すものである。
【００２１】
図に示すように、本実施の形態における監視システムは、家屋の窓やドアの枠に取り付け、定常状態または非定常状態を監視する複数のセンサ端末器１、２と、家屋に設置され、センサ端末器１、２と通信可能な主装置３とを有している。センサ端末器１、２は電池で動作し無線電波を使って主装置３と通信可能なものとなっている。主装置３は公衆電話回線２７（通信ネットワーク）に接続され外部の電話２８に電話をかけることができる。主装置３に無線電波で接続可能なセンサ端末器は２台だけではなく必要に応じて自由に台数を増やせる。
【００２２】
前記センサ端末器１、２は同じ内部構成であるので、代表してセンサ端末器１により説明する。
【００２３】
センサ端末器１は、制御部４と、センサ回路５と、人体から発せられる赤外線を受光する焦電センサ素子６と、無線電波の送信部７と、無線電波の受信部８と、センサ端末器内部の各ブロックに電源を供給している電源部９と、制御部４によって開閉を制御され、センサ回路５への電源の供給を制御するスイッチ部１０と、センサ回路５に電源を供給してからの時間をカウントし、制御部４によって計時動作が制御されるタイマ１１とを有する。
【００２４】
焦電センサ素子６は、赤外線を受光すると微少な電圧信号を出力するので、センサ回路５はその微少な電圧信号を増幅して制御部４に伝えている。
【００２５】
また、無線電波の送信部７と受信部８は、センサ端末器１の定常状態または非定常状態に関する情報と主装置３からの監視動作開始信号および監視動作終了信号とこの監視動作開始信号および監視動作終了信号に対する応答信号の送信または受信を行う情報通信手段を構成している。
【００２６】
また、センサ端末器１は、監視動作をしていないときはスイッチ部１０によりセンサ回路５の電源が遮断されており、主装置３からの監視動作開始信号を受信するとスイッチ部１０が閉じセンサ回路５に電源を通電するようになっている。そして、センサ回路５に電源を通電した後、タイマ１１による一定時間（約３０秒）が経過するまでは、非定常状態に関する情報の主装置３への送信を待機するようになっている。
【００２７】
次に、主装置３の構成であるが、制御部２０と、使用者が監視動作開始または終了させるための操作部２１と、センサ端末器１の非定常状態を検知した場合に警報音を発する警報部２２と、同じく非定常状態を検知した場合に外部の電話２８に電話をかけ外部に事態を知らせるための通報部２３と、主装置３内部の各ブロックに電源を供給している電源部２４と、無線電波の送信部２５と、無線電波の受信部２６とを有する。
【００２８】
前記無線電波の送信部２５と受信部２６は、センサ端末器１の定常状態または非定常状態に関する情報とセンサ端末器１への監視動作開始信号および監視動作終了信号とこの監視動作開始信号および監視動作終了信号に対する応答信号の送信または受信を行う情報通信手段を構成している。
【００２９】
以上のように構成された監視システムについて、以下その動作、作用を説明する。
【００３０】
まず、電池の消耗を抑えるため、警戒動作中でないときは、センサ端末器１、２のスイッチ部１０は開いており、センサ回路５には電源が供給されていない。次に、主装置３の操作部２１を使用者が操作することによって監視動作の開始が要求されると、主装置３は送信部２５を使ってセンサ端末器１、２に監視動作開始を指示する。これにより、それぞれのセンサ端末器１、２の制御部４はスイッチ部１０を閉じてセンサ回路５に電源を供給し始める。また、タイマ１１も計時動作を開始する。
【００３１】
この電源供給直後は、まだセンサ回路５は安定しておらず、センサ回路５の出力にはハイレベルとローレベルの信号が繰り返し現れ、不安定な信号を制御部４に伝えている。約３０秒ほどするとセンサ回路５は安定し出力は常にハイレベルを保つようになる。このため、制御部４は主装置３からの監視動作開始指示によりセンサ回路５に電源を供給して非定常状態を検知できるような準備をする。
【００３２】
しかし、すぐにセンサ回路５の出力状態をみてローレベルの時に主装置３に非定常状態を検知したということを通知したりはせず、タイマ１１の計時値が規定時間値（約３０秒）を越えてはじめてセンサ回路５の出力を見るようにしている。センサ回路５が安定するまでの時間は、回路部品のバラツキによりセンサ端末器１、２のそれぞれにより異なるが、工場出荷時に各センサ端末器の安定時間を評価し、それぞれのセンサ端末器に応じた、規定時間値に設定できるようにしている。
【００３３】
タイマ１１の計時値が規定時間値を越えた後に、例えば、センサ端末器１の前を人が横切ると焦電センサ素子６が人体から発せられた赤外線を受光し微少な電圧信号を出力する。センサ回路５は、焦電センサ素子６の電圧信号変化を増幅し振幅が大きいときには出力をローレベルにする。このローレベル信号により制御部４は非定常状態を検知したという通知を無線電波で主装置３に送信する。主装置３は警報部２２を駆動して警報音（威嚇音）を発すると共に通報部２３により予め登録されている電話番号８に電話発信し、相手の電話２８が応答すると音声合成で非定常状態を検知したことを伝える。
【００３４】
以上のように、本実施の形態においては、監視動作の開始が指示されセンサ回路５に電源を供給し始めた直後はセンサ回路５が不安定であるが、制御部４がタイマ１１の計時値が一定時間を超えるまでセンサ回路５の出力を無視し待機するため、主装置３へ間違った非定常状態検知の通知をしない。すなわち、監視動作を始めた後に各センサ端末器から通報された非定常状態の通知の信頼性を高めることができる。
【００３５】
また、本実施の形態では監視動作の開始を指示されるとタイマ１１の計時動作を開始し、タイマ１１の計時値が一定値を越えるまでセンサ回路５の出力を無視し待機するような動作をするが、これに代わり、監視動作の開始指示によりセンサ回路５への通電開始直後からセンサ回路５の出力値を制御部４が確認し、タイマ１１を用いてハイレベルが持続した時間を計時させ、一定時間以上ハイレベルが続いたらセンサ回路５は安定したと見なし、その後、センサ回路５の出力がローレベルになれば非定常状態を検知したという通知を主装置３に送るようにしても良い。この場合、センサ端末器ごとの部品のバラツキを考慮してセンサ回路５への給電開始から安定するまでの規定時間値を設定する必要が無いため、監視動作開始直後のセンサ回路５の安定待ち時間を効率的にできる。
【００３６】
また、非定常状態に関する情報を主装置３に送信できる状態になったことを主装置３に送信するようにすることで、各センサ端末器１、２がいつ実際に監視動作に移ったかを判定でき、また、監視動作に移っていないセンサ端末器を発見することができるため、各センサ端末器から通報される非定常状態の通知の判定にあたりより信頼性が向上する。
【００３７】
また、センサ端末器１、２においてセンサ回路５が一定時間以上安定しない場合、センサ回路５の異常を主装置３に送信するようにすれば、使用者は監視システムの異常を迅速に知ることができる。もちろん、異常はセンサ端末機器で報知してもよい。例えばＬＥＤを点滅させたり報知音をならすなどである。
【００３８】
また、主装置３あるいはセンサ端末器１、２に表示部や報知部（図示せず）を設け、センサ端末器においてセンサ回路５に電源を通電した後、非定常状態に関する情報を主装置３に送信可能な状態になると、主装置３またはセンサ端末器１、２にて監視動作中であることを表示したり報知することにより、使用者に監視システムが正常に動作し始めたことを通知することができる。
【００３９】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４０】
以上のように、本発明にかかる監視システムおよびそのプログラムは、センサ端末器から常に正しい非定常状態通報を受けられるので、高齢者の住む世帯の高齢者見守りシステムなどの用途にも適用できる。
【図面の簡単な説明】
【００４１】
【図１】本発明の実施の形態１における監視システムのブロック図
【図２】従来の監視システムのブロック図
【符号の説明】
【００４２】
１、２  センサ端末器
３  主装置
４、２０  制御部
５  センサ回路
６  焦電センサ素子
７、２５  送信部（情報通信手段）
８、２６  受信部（情報通信手段）
９、２４  電源部
１０  スイッチ部
１１  タイマ
２１  操作部
２２  警報部
２３  通報部
【図１】
2005216052.tif 000003
【図２】
2005216052.tif 000004